(57)【要約】【課題】瞼を上げて、より目元をはっきり美しく見せることができる睫毛パーマの施術方法を提供する。【解決手段】本発明に係る睫毛パーマの施術方法は、糊剤１１を瞼ＬＤに塗布する糊剤塗布工程ＳＴ１と、表面及び裏面を有するロッド材１２を裏面が瞼ＬＤ側を向くようにして瞼ＬＤに塗布した糊剤１２上に配置するロッド材配置工程ＳＴ２と、睫毛ＬＳを生え際から折り返し、折り返した睫毛ＬＳをロッド材１２の表面に貼り付ける睫毛折り返し工程ＳＴ３と、折り返した睫毛ＬＳ上に棒状のスティック材１３を幅方向に横断させて配置するスティック材配置工程ＳＴ４と、顔面に対しスティック材１３の両端部を固定テープ１４で固定するスティック材固定工程ＳＴ５と、を含む。【選択図】図４
2020198953.tif 000002
【特許請求の範囲】
【請求項１】
糊剤を瞼に塗布する糊剤塗布工程と、
表面及び裏面を有するロッド材を前記裏面が前記瞼側を向くようにして前記瞼に塗布した前記糊剤上に配置するロッド材配置工程と、
睫毛を生え際から折り返し、折り返した前記睫毛を前記ロッド材の前記表面に貼り付ける睫毛折り返し工程と、
折り返した前記睫毛上に棒状のスティック材を幅方向に横断させて配置するとともに、瞼板を起こすようにして眼瞼挙筋を収縮させる方向に前記スティック材を押し込むことで、前記スティック材により前記瞼を引き上げて押さえるスティック材配置工程と、
顔面に対し前記スティック材を固定テープで固定するスティック材固定工程と、を含むことを特徴とする睫毛パーマの施術方法。
【請求項２】
前記スティック材固定工程の後に、前記ロッド材と前記スティック材との間にパーマ用薬剤を塗布する薬剤塗布工程をさらに含むことを特徴とする請求項１に記載の睫毛パーマの施術方法。
【請求項３】
前記スティック材配置工程では、前記瞼の目尻側を上げるようにして、前記スティック材によって前記瞼を押さえることを特徴とする請求項１又は２に記載の睫毛パーマの施術方法。
【請求項４】
前記スティック材配置工程の後前記スティック材固定工程の前に、前記スティック材と前記瞼との間に端部を潜り込ませるようにして棒状の補助スティック材を配置するとともに、前記補助スティック材により前記瞼の目尻側をさらに引き上げて押さえる補助スティック材配置工程をさらに含み、
前記スティック材固定工程では、前記スティック材と前記補助スティック材とを固定テープで固定することを特徴とする請求項１〜３のいずれか一項に記載の睫毛パーマの施術方法。
【請求項５】
前記ロッド材は、弾性材であることを特徴とする請求項１〜４のいずれか一項に記載の睫毛パーマの施術方法。
【請求項６】
前記ロッド材は、円筒状のチューブ材を長手方向に裁断することで形成されていることを特徴とする請求項１〜５にいずれか一項に記載の睫毛パーマの施術方法。
【請求項７】
前記スティック材は、直線的に延びていることを特徴とする請求項１〜６のいずれか一項に記載の睫毛パーマの施術方法。
【請求項８】
前記スティック材は、細長い丸棒であることを特徴とする請求項１〜７のいずれか一項に記載の睫毛パーマの施術方法。
【発明の詳細な説明】
【技術分野】
【０００１】
本発明は、睫毛パーマの施術方法に関する。
【背景技術】
【０００２】
美容分野において、目元をはっきり美しく見せるために睫毛パーマが施術されている（例えば、特許文献１参照）。
【０００３】
図８は、従来の睫毛パーマの施術方法の説明図である。図８（ａ）は、睫毛パーマを施術している際の正面側から見た様子を示し、図８（ｂ）は、図８（ａ）のＡ−Ａ断面図を示す。
【０００４】
特許文献１で開示されているような従来の睫毛パーマの施術方法は、図８に示すように、断面がかまぼこ状のロッド材９１２を瞼ＬＤに貼り付けた後、折り返した睫毛ＬＳをロッド材９１２表面に対して水溶性グル―等を用いて貼り付け、睫毛ＬＳにパーマ液を塗布する。従来の睫毛パーマの施術方法は、この状態でしばらく時間を置くことで、睫毛ＬＳがロッド材９１２表面に倣って睫毛ＬＳにパーマがかかり、目元をはっきり美しく見せることができる。
【先行技術文献】
【特許文献】
【０００５】
【特許文献１】特開２００５−２３７６２８号公報
【発明の概要】
【発明が解決しようとする課題】
【０００６】
しかしながら、アジア人は睫毛が下向きで瞼が被っている傾向にあり、従来の睫毛パーマ方法では瞼が上がりにくい。特に眼瞼下垂を患っている被施術者は、従来の睫毛パーマ方法で睫毛パーマをかけても瞼が重い感じになり、目元をはっきり美しく見せることが困難である。このため、瞼を上げて、より目元をはっきり美しく見せることができるような睫毛パーマの施術方法が要望されている。
【０００７】
このような要望に鑑み、本発明は、瞼を上げて、より目元をはっきり美しく見せることができる睫毛パーマの施術方法を提供することを課題としている。
【課題を解決するための手段】
【０００８】
［１］本発明に係る睫毛パーマの施術方法は、糊剤を瞼に塗布する糊剤塗布工程と、表面及び裏面を有するロッド材を裏面が瞼側を向くようにして瞼に塗布した糊剤上に配置するロッド材配置工程と、睫毛を生え際から折り返し、折り返した睫毛をロッド材の表面に貼り付ける睫毛折り返し工程と、棒状のスティック材を折り返した睫毛上に幅方向に横断させて配置するとともに、瞼板を起こすようにして眼瞼挙筋を収縮させる方向にスティック材を押し込むことで、スティック材によって瞼を引き上げて押さえるスティック材配置工程と、顔面に対しスティック材を固定テープで固定するスティック材固定工程と、を含むことを特徴とする。
【０００９】
本発明に係る睫毛パーマの施術方法によれば、瞼上にロッド材を配置するロッド材配置工程と、折り返した睫毛をロッド材に貼り付ける睫毛折り返し工程を備えるため、睫毛をロッド材表面に倣うようにして折り返して固定することができる。さらに、本発明に係る睫毛パーマの施術方法によれば、折り返した睫毛上に棒状のスティック材により瞼を引き上げて押さえるスティック材配置工程と、顔面に対しスティック材を固定テープで固定するスティック材固定工程と、を備えるため、瞼を引き上げた状態で睫毛が顔面対して固定されることから、睫毛がロッド材に対して浮きにくく、瞼を引き上げた状態に固定できる。また、本発明に係る睫毛パーマの施術方法によれば、糊剤を瞼に塗布する糊剤塗布工程を備えるため、スティック材固定工程で引き上げた状態で押さえられた瞼を糊剤によって維持することができる。
【００１０】
その結果、本発明に係る睫毛パーマの施術方法は、瞼を上げて、より目元をはっきり美しく見せることができる睫毛パーマの施術方法となる。
【００１１】
［２］本発明に係る睫毛パーマの施術方法においては、スティック材固定工程の後に、ロッド材とスティック材との間にパーマ用薬剤を塗布する薬剤塗布工程をさらに含むことが好ましい。
【００１２】
このような方法によれば、スティック材固定工程で浮きにくいよう固定された睫毛にパーマ用薬剤が浸透することから、よりロッド材に倣うように睫毛にパーマをかけることができる。
【００１３】
［３］本発明に係る睫毛パーマの施術方法においては、スティック材配置工程では、瞼の目尻側を上げるようにして、スティック材によって瞼を押さえることが好ましい。
【００１４】
このような方法によれば、下がりやすい瞼の目尻側をより上げて押さえることができることから、より目元をはっきり美しく見せることができる。
【００１５】
［４］本発明に係る睫毛パーマの施術方法においては、スティック材配置工程の後スティック材固定工程の前に、スティック材と瞼との間に端部を潜り込ませるようにして棒状の補助スティック材を配置するとともに、補助スティック材により瞼の目尻側をさらに引き上げて押さえる補助スティック材配置工程をさらに含み、スティック材固定工程では、スティック材と補助スティック材とを固定テープで固定するようにしてもよい。
【００１６】
このような方法によれば、補助スティック材により瞼の目尻側をさらに引き上げて押さえる補助スティック材配置工程をさらに含むため、スティック材が離れてしまいがちな目尻を補助スティック材でより引き上げた状態で睫毛パーマを固定できることから、眼瞼下垂を患っているような瞼が重いような被施術者であっても、瞼を上げて目元をはっきり美しく見せることができる。
【００１７】
［５］本発明に係る睫毛パーマの施術方法においては、ロッド材は、弾性材であることが好ましい。
【００１８】
このような部材を用いれば、柔軟な弾性材を瞼形状に倣わせることが可能であることから、睫毛をより生え際から折り返すことができる。
【００１９】
［６］本発明に係る睫毛パーマの施術方法においては、ロッド材は、円筒状のチューブ材を長手方向に裁断することで形成されていてもよい。
【００２０】
このような部材を用いれば、特に特殊で高価なロッド材を用いなくてもよいことから、より安価に施術することができる。
【００２１】
［７］本発明に係る睫毛パーマの施術方法においては、スティック材は、直線的に延びていることが好ましい。
【００２２】
このような部材を用いれば、瞼を目尻側が持ち上がるようにして固定しやすいことから、より目尻をはっきり美しく見せることができる。
【００２３】
［８］本発明に係る睫毛パーマの施術方法においては、スティック材は、細長い丸棒であってもよい。
【００２４】
このような部材を用いれば、特に特殊で高価なスティック材を用いなくてもよいことから、より安価に施術することができる。
【発明の効果】
【００２５】
本発明によれば、瞼を上げて、より目元をはっきり美しく見せることができる睫毛パーマを提供することができる。
【図面の簡単な説明】
【００２６】
【図１】実施形態１に係る睫毛パーマ施術用キットの構成図である。
【図２】実施形態１に係る睫毛パーマの施術に用いられるロッド材の作成方法の説明図である。
【図３】実施形態１に係る睫毛パーマの施術方法のフローチャートである。
【図４】実施形態１に係る睫毛パーマの施術方法の説明図である。
【図５】実施形態１のスティック材配置工程において、スティック材による押さえ方を示す模式図である。
【図６】実施形態２に係る睫毛パーマの施術方法のフローチャートである。
【図７】実施形態２に係る睫毛パーマの施術方法において実施形態１に係る睫毛パーマの施術方法と異なる工程の説明図である。
【図８】従来の睫毛パーマの施術方法の説明図である。
【発明を実施するための形態】
【００２７】
以下に図面を参照して本発明の一実施形態である睫毛パーマの施術方法に関して説明するが、本発明は、この実施形態に限定されるものではない。なお、各図面は必ずしも実際の寸法や細部までを厳密に反映したものではない。
【００２８】
（実施形態１）
［１．実施形態１に係る睫毛パーマ施術用キット１の構成］
図１は、実施形態１に係る睫毛パーマ施術用キットの構成図である。
図２は、実施形態１に係る睫毛パーマの施術に用いられるロッド材の作成方法の説明図である。
【００２９】
実施形態１に係る睫毛パーマを施術するために、図１に示すような睫毛パーマ施術用キット１を用いる。睫毛パーマ施術用キット１は、糊剤１１、ロッド材１２、スティック材１３、固定テープ１４、及びパーマ用薬剤１５を含む。睫毛パーマキット１は、実施形態１に係る睫毛パーマを施術しやすいよう、糊剤１１、ロッド材１２、スティック材１３、固定テープ１４、及びパーマ用薬剤１５の他、適宜コットン、ブラシ、綿棒、ピンセット等の用具やパーマ液除去剤等のその他薬剤が含まれる場合がある。また、睫毛パーマキット１は、糊剤１１、ロッド材１２、スティック材１３、固定テープ１４、及びパーマ用薬剤１５が、必ずしも同一パッケージに入った状態で準備されるものとは限らない。
【００３０】
糊剤１１は、いわゆる水溶性グルーと称される水溶性の接着剤である。ボトルキャップ又は塗布用の刷毛等により施術部に塗布される。
【００３１】
ロッド材１２は、柔軟なシリコン材からなり、所定の厚みの細長い部材である。ロッド材１２の厚み方向に対向する表面及び裏面は、短手方向において円弧状に湾曲している。ロッド材１２の表面（凸側の面、表面から垂直な方向へ延びる仮想線が発散する側の面）は、睫毛パーマの施術の際に睫毛が巻かれる（折り返して密着させる）面である。このため、ロッド材１２は、表面側の面の短手方向の曲面長さ寸法が、睫毛長さ寸法よりも大きく、瞼の縦幅寸法よりも小さくなる程度で形成されている。また、ロッド材１２は、長手方向の長さ寸法が睫毛全体の幅寸法より大きく、瞼の横幅寸法と同等若しくはより大きくなる程度で形成されている。
【００３２】
なお、実施形態１のロッド材１２は、図２に示すように、柔軟なシリコン材の円筒状のチューブ材２０を長手方向に裁断することで形成されている。このように形成されたロッド材１２は、鋏やカッターで簡単に形成され、それでいて最適サイズ且つ安価に形成される。
【００３３】
スティック材１３は、図１に示すように、剛性のある細長い棒である。スティック材１３は、木製、金属製、又は樹脂製であってもよい。スティック材については、直線的に延びていても僅かに湾曲して延びていても良いが、実施形態１のスティック材１３は、直線的に延びている。また、スティック材については、丸棒、角棒、六角棒等であってもよいが、実施形態１のスッティック材１３は、丸棒である。スティック材１３として爪楊枝を採用しても良い。スティック材１３は、長手方向の長さ寸法が睫毛全体の幅寸法より大きく、瞼の横幅寸法と同等若しくはより大きい長さ寸法を有する。
【００３４】
固定テープ１４は、少なくとも片面に粘着剤を有し、肌に貼り付くことが可能なテープである。
【００３５】
パーマ用薬剤１５は、パーマ液を含み、睫毛を矯正した状態で維持又は矯正した状態から戻り難くする薬剤である。
【００３６】
［２．実施形態１に係る睫毛パーマの施術方法］
図３は、実施形態１に係る睫毛パーマの施術方法のフローチャートである。
図４は、実施形態１に係る睫毛パーマの施術方法の説明図である。図４（ａ）は、糊剤塗布工程ＳＴ１を示す。図４（ｂ）は、ロッド材配置工程ＳＴ２を示す。図４（ｃ）は、睫毛折り返し工程ＳＴ３を示す。図４（ｄ）は、スティック材配置工程ＳＴ４を示す。図４（ｅ）は、スティック材固定工程ＳＴ５、薬剤塗布工程ＳＴ６、及び待ち・後処理工程ＳＴ７を示す。図４（ｆ）は、睫毛パーマが施された状態を示す。
図５は、実施形態１のスティック材配置工程において、スティック材による押さえ方を示す模式図であり、目幅中央部付近の一部断面を模式的に示す。
【００３７】
実施形態１に係る睫毛パーマの施術方法は、睫毛パーマ施術用キット１を用い、図３に示すように、糊剤塗布工程ＳＴ１、ロッド材配置工程ＳＴ２、睫毛折り返し工程ＳＴ３、スティック材配置工程ＳＴ４、スティック材固定工程ＳＴ５、薬剤塗布工程ＳＴ６、及び待ち・後処理工程ＳＴ７を順に行う。
【００３８】
まず、糊剤塗布工程ＳＴ１において、図４（ａ）に示すように、瞼ＬＤ上に糊剤１１を塗布する。糊剤１１は、例えば瞼ＬＤ上横幅一杯に広がるように薄く塗布されればよいが、これに限定されず、塗布範囲及び塗布量が適宜調整され塗布されればよい。
【００３９】
次に、ロッド材配置工程ＳＴ２において、図４（ｂ）に示すように、ロッド材１２の裏面が瞼ＬＤ側を向くようにして、糊剤塗布工程ＳＴ１で瞼ＬＤ上に塗布した糊剤１１上にロッド材１２を配置する（貼り付ける）。この際、ロッド材１２を、その長手方向に延びる一方の稜線を睫毛ＬＳの生え際に沿わせて配置する。さらに、ロッド材配置工程ＳＴ２では、瞼ＬＤ上に配置したロッド材１２の表面に糊剤１１を塗布する。
【００４０】
次に、睫毛折り返し工程ＳＴ３において、図４（ｃ）に示すように、睫毛ＬＳを生え際から折り返し、折り返した睫毛ＬＳをロッド材１２の表面に貼り付ける。
【００４１】
次に、スティック材配置工程ＳＴ４において、図４（ｄ）に示すように、折り返した睫毛ＬＳ上に棒状のスティック材１３を睫毛ＬＳ全体幅方向に横断させて配置する。その上で、スティック材配置工程ＳＴ４では、図５に示すように、瞼板Ｐを起こすようにして眼瞼挙筋Ｍを収縮させる方向にスティック材１３を押し込むことで、スティック材１３により瞼ＬＤを引き上げて押さえる。この際、瞼ＬＤの下端が僅かに裏返る程度に引き上げて押さえることが好ましい。これにより、睫毛ＬＳは、ロッド材１２とスティック材１３とに挟まれた状態となる。なお、人体の眼は、瞼挙筋Ｍが伸びる（緩む）と瞼板Ｐが倒れて瞼ＬＤが閉じ、瞼挙筋Ｍが収縮（縮む）と瞼板Ｐが起きて瞼ＬＤが開く仕組みとなっている。
【００４２】
次に、スティック材固定工程ＳＴ５において、図４（ｅ）に示すように、顔面に対しスティック材１３の両端部を固定テープ１４で固定する。この時、瞼ＬＤの目尻側を上げるようにして、スティック材１３を固定することが好ましい。
【００４３】
次に、薬剤塗布工程ＳＴ６において、図４（ｅ）に示すように、ロッド材１２とスティック材１３との間にパーマ用薬剤１５を塗布する。
【００４４】
次に、待ち・後処理工程ＳＴ７において、図４（ｅ）に示すようなスティック材１３を固定した状態でしばらく放置して睫毛ＬＳにパーマがかかるのを待った後、固定テープ１４、スティック材１３、及びロッド材１２を取り外す。また、待ち・後処理工程ＳＴ７では、パーマ用薬剤１５、及び糊剤１１を表面的に除去する。
【００４５】
以上の工程を経ることで、図４（ｆ）に示すように、パーマ用薬剤１５によって睫毛ＬＳが上がった状態で維持されるだけでなく、糊剤１１によって瞼ＬＤが上がった状態で維持され、より目元や目尻が上がった状態で睫毛パーマがかかる。
【００４６】
［４．実施形態１に係る効果］
実施形態１に係る睫毛パーマの施術方法によれば、瞼ＬＤ上にロッド材１２を配置するロッド材配置工程ＳＴ２と、折り返した睫毛ＬＳをロッド材１２に貼り付ける睫毛折り返し工程ＳＴ３を備えるため、睫毛ＬＳをロッド材１２表面に倣うようにして折り返して固定することができる。さらに、実施形態１に係る睫毛パーマの施術方法によれば、折り返した睫毛ＬＳ上にスティック材１３により瞼ＬＤを引き上げて押さえるスティック材配置工程ＳＴ４と、スティック材１３の両端部を固定テープ１４で固定するスティック材固定工程ＳＴ５と、を備えるため、瞼ＬＤを引き上げた状態で睫毛ＬＳが顔面対して固定されることから、睫毛ＬＳがロッド材１２に対して浮きにくく、瞼ＬＤを引き上げた状態に固定できる。また、実施形態１に係る睫毛パーマの施術方法によれば、糊剤１１を瞼ＬＤに塗布する糊剤塗布工程ＳＴ１を備えるため、スティック材固定工程ＳＴ５で引き上げた状態で押さえられた瞼ＬＤを糊剤１１によって維持することができる。
【００４７】
その結果、実施形態に係る睫毛パーマの施術方法は、瞼ＬＤを上げて、より目元をはっきり美しく見せることができる睫毛パーマの施術方法となる。
【００４８】
実施形態１に係る睫毛パーマの施術方法においては、スティック材固定工程ＳＴ５の後に、パーマ用薬剤１５を塗布する薬剤塗布工程ＳＴ６をさらに含むため、スティック材固定工程ＳＴ５で浮きにくいよう固定された睫毛ＬＳにパーマ用薬剤１５が浸透することから、よりロッド材１２に倣うように睫毛にパーマをかけることができる。
【００４９】
実施形態１に係る睫毛パーマの施術方法においては、スティック材配置工程ＳＴ４では、瞼ＬＤの目尻側を上げるようにして、スティック材１３によって瞼ＬＤを押さえるため、下がりやすい瞼ＬＤの目尻側をより上げて押さえることができることから、より目元をはっきり美しく見せることができる。
【００５０】
実施形態１に係る睫毛パーマの施術方法においては、用いられるロッド材１２がシリコン材であり、柔軟で瞼ＬＤ形状に倣わせることが可能であることから、睫毛ＬＳをより生え際から折り返すことができる。
【００５１】
実施形態１に係る睫毛パーマの施術方法においては、用いられるロッド材１２が円筒状のチューブ材２０を長手方向に裁断することで形成されているため、特に特殊で高価なロッド材を用いなくてよいことから、より安価に施術することができる。
【００５２】
実施形態１に係る睫毛パーマの施術方法においては、用いられるスティック材が直線的に延びているため、瞼を目尻側が持ち上がるようにして固定しやすいことから、より目尻をはっきり美しく見せることができる。
【００５３】
実施形態１に係る睫毛パーマの施術方法においては、用いられるスティック材が細長い丸棒であるため、特に特殊で高価なスティック材を用いなくてもよいことから、より安価に施術することができる。
【００５４】
本実施形態によれば、瞼を上げて、より目元をはっきり美しく見せることができる睫毛パーマを提供することができる。
【００５５】
（実施形態２）
図６は、実施形態２に係る睫毛パーマの施術方法のフローチャートである。
図７は、実施形態２に係る睫毛パーマの施術方法において実施形態１に係る睫毛パーマの施術方法と異なる工程の説明図である。図７（ａ）は、実施形態１と同様であり、スティック材配置工程ＳＴ４を示す。図７（ｂ）は、補助スティック材配置工程ＳＴ４１を示す。図７（ｃ）は、スティック材固定工程ＳＴ４１を示す。
【００５６】
実施形態２に係る睫毛パーマの施術方法は、睫毛パーマ施術用キット１（図１参照）を用い、及びスティック材１３と同様の形態の補助スティック材１６をさらに用い、図６に示すように、糊剤塗布工程ＳＴ１、ロッド材配置工程ＳＴ２、睫毛折り返し工程ＳＴ３、スティック材配置工程ＳＴ４、補助スティック材配置工程ＳＴ４１、スティック材固定工程ＳＴ５１、薬剤塗布工程ＳＴ６、及び待ち・後処理工程ＳＴ７を順に行う。
【００５７】
実施形態２に係る睫毛パーマの施術方法は、補助スティック材配置工程４１を含む点において、実施形態１係る睫毛パーマの施術方法と異なるが、基本的には実施形態１係る睫毛パーマの施術方法と同様の工程手順である。すなわち、実施形態２に係る睫毛パーマの施術方法は、スティック材配置工程ＳＴ４とスティック材固定工程５１との間に補助スティック材配置工程ＳＴ４１を行う点が実施形態１に係る睫毛パーマの施術方法と異なる。このため、以下では、実施形態１係る睫毛パーマの施術方法と異なる補助スティック材配置工程ＳＴ４１、及び補助スティック材配置工程ＳＴ４１を行うことによって僅かに作業が追加になるスティック材固定工程ＳＴ５１についてのみ説明し、他の工程の説明は省略する。
【００５８】
補助スティック材配置工程ＳＴ４１は、スティック材配置工程ＳＴ４だけだと、瞼ＬＤを引き上げて押さえることが難しい場合に、瞼ＬＤを引き上げて押さえることを補助する工程である。つまり、スティック材配置工程ＳＴ４では瞼ＬＤを全体的に押さえるが、瞼ＬＤが中央部凸となる３次元形状であり個々の違いもあるため、スティック材１３一本では特に目尻側が中央部よりもスティック材１３から離れてしまう傾向になることから、目尻の押さえが十分にできない場合がある。そこで、補助スティック材配置工程ＳＴ４１において、補助スティック材１６を用いて特に目尻側をさらに引き上げて押さえる。
【００５９】
具体的には、補助スティック材配置工程ＳＴ４１においては、図７（ｂ）に示すように、補助スティック材１６の一方側をスティック材１３と瞼ＬＤとの間に潜り込ませ配置するとともに、補助スティック材１３により瞼ＬＤの目尻側をさらに引き上げて押さえる。この際、瞼ＬＤの目尻側の下端がさらに僅かに裏返る程度に引き上げて押さえることが好ましい。なお、補助スティック材１６は、ロッド材１２の表面側に配置するようにすることが好ましい。
【００６０】
スティック材固定工程ＳＴ５１においては、図７（ｃ）に示すように、スティック材１３と補助スティック材１６とを固定テープ１４で固定する。なお、スティック材１３と補助スティック材１６とが重なっている部分においては、両スティック材１３,１６を横に長い固定テープ１４で一緒に固定すると具合がよい。
【００６１】
実施形態２に係る睫毛パーマの施術方法によれば、実施形態１に係る睫毛パーマの施術方法と同様の工程を行うため、実施形態１に係る睫毛パーマの施術方法と同様の効果を奏する。さらに、実施形態２に係る睫毛パーマの施術方法によれば、補助スティック材１６により瞼ＬＤの目尻側をさらに引き上げて押さえる補助スティック材配置工程ＳＴ４１をさらに含むため、スティック材１３が離れてしまいがちな目尻を補助スティック材１６でより引き上げた状態で睫毛パーマを固定できることから、眼瞼下垂を患っているような瞼が重いような被施術者であっても、瞼ＬＤを上げて目元をはっきり美しく見せることができる。
【００６２】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００６３】
（１）上記実施形態において記載した構成要素の数、形状、位置、向き、配置形態、大きさ、材質等は例示であり、本発明の効果を損なわない範囲において変更することが可能である。
【００６４】
（２）上記した実施形態においては、ロッド材が所定の厚みの細長い部材であるとして説明したが、本発明はこれに限定されるものではない。ロッド材は、瞼に沿って配置可能で睫毛を巻ければ（折り返して密着できれば）よく、例えば、専用の型で形成された三次元立体形状の従来ロッド材として市販されているような部材であってもよい。
【００６５】
（３）上記した実施形態においては、ロッド材が柔軟なシリコン材からなる部材であると説明したが、本発明はこれに限定されるものではない。ロッド材は、瞼に倣うように配置できればよく、例えば、シリコン材以外の柔軟なゴム剤やエラストマー部材であってもよく、瞼に倣うような形状の硬質の部材であってもよい。
【００６６】
（４）上記した実施形態においては、１本又は２本のスティック材しか用いていなかったが、本発明はこれに限定されるものではない。３本以上のスティック材用いて、瞼を上げるように固定してもよい。
【００６７】
（５）上記した実施形態においては、スティック材が剛性のある細長い棒であり、特に太さの変動もないような棒として説明したが、本発明はこれに限定されるものではない。スティック材は、瞼を上げるように折り返した睫毛を抑えつけられればよく、例えば、太さが変動するような棒であってもよく、多少柔軟な棒であってもよい。
【符号の説明】
【００６８】
１…睫毛パーマ施術用キット
１１…糊剤
１２…ロッド材
１３…スティック材
１４…固定テープ
１５…パーマ用薬剤
１６…補助スティック材
２０…チューブ材
ＬＤ…瞼
ＬＳ…睫毛
ＳＴ１…糊剤塗布工程
ＳＴ２…ロッド材配置工程
ＳＴ３…睫毛折り返し工程
ＳＴ４…スティック材配置工程
ＳＴ５，ＳＴ５１…スティック材固定工程
ＳＴ６…薬剤塗布工程
ＳＴ７…待ち・後処理工程
ＳＴ４１…補助スティック材配置工程
【図１】
2020198953.tif 000003
【図２】
2020198953.tif 000004
【図３】
2020198953.tif 000005
【図４】
2020198953.tif 000006
【図５】
2020198953.tif 000007
【図６】
2020198953.tif 000008
【図７】
2020198953.tif 000009
【図８】
2020198953.tif 000010
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
糊剤を瞼に塗布する糊剤塗布工程と、
表面及び裏面を有するロッド材を前記裏面が前記瞼側を向くようにして前記瞼に塗布した前記糊剤上に配置するロッド材配置工程と、
睫毛を生え際から折り返し、折り返した前記睫毛を前記ロッド材の前記表面に貼り付ける睫毛折り返し工程と、
折り返した前記睫毛上に棒状のスティック材を幅方向に横断させて配置するとともに、瞼板を起こすようにして眼瞼挙筋を収縮させる方向に前記スティック材を押し込むことで、前記スティック材により前記瞼を引き上げた状態で押さえるスティック材配置工程と、
前記瞼を引き上げた状態で押さえている前記スティック材を、顔面に対して固定テープで固定するスティック材固定工程と、を含むことを特徴とする睫毛パーマの施術方法。
【請求項２】
前記スティック材固定工程の後に、前記ロッド材と前記スティック材との間にパーマ用薬剤を塗布する薬剤塗布工程をさらに含むことを特徴とする請求項１に記載の睫毛パーマの施術方法。
【請求項３】
前記スティック材配置工程では、前記瞼の目尻側を上げるようにして、前記スティック材によって前記瞼を引き上げた状態で押さえることを特徴とする請求項１又は２に記載の睫毛パーマの施術方法。
【請求項４】
前記スティック材配置工程の後前記スティック材固定工程の前に、前記スティック材と前記瞼との間に端部を潜り込ませるようにして棒状の補助スティック材を配置するとともに、前記補助スティック材により前記瞼の目尻側をさらに引き上げた状態で押さえる補助スティック材配置工程をさらに含み、
前記スティック材固定工程では、前記瞼を引き上げた状態で押さえている前記スティック材と前記補助スティック材とを固定テープで固定することを特徴とする請求項１〜３のいずれか一項に記載の睫毛パーマの施術方法。
【請求項５】
前記ロッド材は、弾性材であることを特徴とする請求項１〜４のいずれか一項に記載の睫毛パーマの施術方法。
【請求項６】
前記ロッド材は、円筒状のチューブ材を長手方向に裁断することで形成されていることを特徴とする請求項１〜５にいずれか一項に記載の睫毛パーマの施術方法。
【請求項７】
前記スティック材は、直線的に延びていることを特徴とする請求項１〜６のいずれか一項に記載の睫毛パーマの施術方法。
【請求項８】
前記スティック材は、細長い丸棒であることを特徴とする請求項１〜７のいずれか一項に記載の睫毛パーマの施術方法。